(57)【要約】【課題】  歩道幅の狭い地域等において電線類の地中化等を行う場合に、歩道上へ植栽やベンチ等を施すことが可能となる地中箱の蓋体を提供することによって、歩道空間の有効利用を図ると共に、環境に調和した歩行空間を創造することを目的としている。  また、従来の地中箱と同等の機能を持たせながら、更なる工事費等の縮減を図るものである。【解決手段】  電線類の地中化等において使用される電力ケーブルや通信ケーブルの分岐体や接続体を収容するために地中に埋設される地中箱の蓋であって、植栽用のプランターとして使用すべく、上方を開口してなる箱体であることを特徴とする。【選択図】  図１
2005080497.tif 000002
【特許請求の範囲】
【請求項１】
電線類の地中化等において使用される電力ケーブルや通信ケーブルの分岐体や接続体を収容するために地中に埋設される地中箱の蓋であって、植栽用のプランターとして使用すべく、上方を開口してなる箱体であることを特徴とする地中箱の蓋体。
【請求項２】
箱体に排水孔を設けてなることを特徴とする請求項１記載の地中箱の蓋体。
【請求項３】
箱体の上面に、ベンチとして使用すべく、座板を設けてなる蓋を設けてなることを特徴とする請求項１又は２記載の地中箱の蓋体。
【請求項４】
箱体の上面に、ゴミ収集箱等、多目的に使用すべく、取手部を設けてなることを特徴とする請求項１、２又は３記載の地中箱の蓋体。
【請求項５】
請求項１ないし請求項４の地中箱の蓋体の下部に、電力ケーブルや通信ケーブルの分岐体や接続体を収容するための地中箱本体を設けてなることを特徴とする地中箱。
【発明の詳細な説明】
【技術分野】
【０００１】  本発明は、電力ケーブルや通信ケーブルの分岐体及び接続体を収容するために電線類の地中化等で使用される地中箱の蓋体及び地中箱の新規構造に関するものである。
【背景技術】
【０００２】  従来の地中箱の蓋体Ｆは、開閉機能のみを有している。
また、地中箱本体ＴＨは完全に地中に埋設され、蓋体は路面に段差をつけない構造で設置されている。
さらに、別の背景技術として、同様な形態のものはないが、上面の開口が蓋体により閉塞されて、地中埋設ケーブルを中継接続したり、該ケーブルの引込開始部を形成するため等に地中に埋設される地中埋設箱本体であって、全体が合成樹脂等の軽量材で構成されていると共に、その周壁に、地中埋設状態での浮き上りを防止する浮き上り防止部が設けられていることを特徴とする地中埋設箱本体がある。（特許文献１参照）【０００３】
【特許文献１】  特開平１０−２２４９７５号公報（請求項１、図２）
【発明の開示】
【発明が解決しようとする課題】
【０００４】  従来の地中箱の蓋体Ｆにあっては、開閉機能しか有していないため、歩道上の植栽Ｓ１等を避けた位置に埋設することしかできなった。
したがって、歩道幅の狭い地域等で電線類の地中化等を行う場合、植栽Ｓ１等を施す場所が確保できず、施工前に比べて歩道上から植栽Ｓ１等が減少するといった景観や環境上の問題点があった。
また、電線類の地中化等を行うにあたり、更なる工事費の縮減が社会的な課題となっている。
さらに、上記特許においては、浮き上りを防止する形態のものであり、本発明の機能・効果は有していない。【０００５】  本発明は、上記の問題点に鑑みなされたもので、歩道幅の狭い地域等において電線類の地中化等を行う場合に、歩道上へ植栽やベンチ等を施すことが可能となる地中箱の蓋体を提供することによって、歩道空間の有効利用を図ると共に、環境に調和した歩行空間を創造することを目的としている。
また、従来の地中箱と同等の機能を持たせながら、更なる工事費等の縮減を図るものである。
【課題を解決するための手段】
【０００６】  上記課題を解決するための手段として、地中箱の蓋体においては、電線類の地中化等において使用される電力ケーブルや通信ケーブルの分岐体や接続体を収容するために地中に埋設される地中箱の蓋であって、植栽用のプランターとして使用すべく、上方を開口してなる箱体であること。また、箱体に排水孔を設けてなること。さらに、箱体の上面に、ベンチとして使用すべく、座板を設けてなる蓋を設けてなること。さらにまた、箱体の上面に、ゴミ収集箱等、多目的に使用すべく、取手部を設けてなることを特徴とする。その上、地中箱においては、地中箱の蓋体の下部に、電力ケーブルや通信ケーブルの分岐体や接続体を収容するための地中箱本体を設けてなることを特徴とする。
【発明の効果】
【０００７】  本発明に係る地中箱の蓋体及び地中箱は、歩道幅の狭い地域等で電線類を地中化する場合等に課題となっている植栽等の減少を改善し、歩道上へ植栽やベンチ等を施すことで、歩道空間の有効利用を行い、地域の景観や生活環境等との調和が図れることで、地域住民の理解が得られると共に、更なる工事費の縮減により電線類の地中化事業等の円滑な推進が期待できるものである。
植栽用のプランター及びベンチ等を兼用する地中箱の蓋体と地中箱の上部は、地上に露出させることができるため、従来の地中箱の蓋体の高さ分と地上に露出された地中箱の上部分だけ掘削を浅くすることができる。
植栽用のプランター及びベンチ等を兼用する地中箱の蓋体は地上に露出されているため、従来の地中箱のように蓋体の上部を通過する自動車等の設計荷重を考慮する必要がなく、構造の厚みを薄くすることができる。
【発明を実施するための最良の形態】
【実施例１】
【０００８】  本発明の地中箱の蓋体１は、植栽用のプランターとして使用すべく、上方を開口１ａ１してなる箱体１ａで、底面を勾配１ａ２にし、排水孔１ｂを設けてなるものである。
なお、施工時にクレーン等にて吊り上げるためのインサート１ａ３−−−を埋設してある。【０００９】  本発明の地中箱２は、上記地中箱の蓋体１の下部に、電力ケーブルや通信ケーブルの分岐体や接続体を収納する地中箱本体３を設けてなるもので、底面に水抜き孔３ａを設けると共に、ケーブル等を束ねたケーブル管を挿入する管挿入孔３ｂを設けてある。【００１０】  なお、地中箱の蓋体１と地中箱２の接合方法としては、接合面（接合部）にゴムパッキンＰを取り付け、外部からの水等の浸入を防止すると共に、連結手段として、接続プレートＳＰに特殊ボルトＴ（一般に市販されていないボルトで、セキュリティ効果の高いもの）を螺入し、化粧プレートＫにて目隠しするものである。【００１１】  地中箱の蓋体１と地中箱２の使用例について下記に述べる。
まず、歩道路面ＨＲの所要位置を掘削し、地中箱基礎ＴＫを施工した後、地中箱２を載置し、管挿入孔３ｂを明けて、必要なケーブル管ＫＫを配設し、接合面にゴムパッキンＰを取り付け、その上方より地中箱の蓋体１を載置し、接続プレートＳＰ・特殊ボルトＴ・化粧プレートＫ（図示せず）にて固定する。
その後、地中箱の蓋体１内に土ＴＵを入れ、低木や花等を植栽Ｓするものである。
なお、必要以上の水等は、排水孔１ｂより流れ出るものである。
【実施例２】
【００１２】  つぎに、他の地中箱の蓋体２１を説明する。
地中箱の蓋体２１は、上記地中箱の蓋体１の上面に、ベンチとして使用すべく、座板４をボルトＢにて固定してなるものである。
なお、必要に応じて両側に取手部５を設け、ゴミ収集箱としても使用でき、この場合は、ボルトＢで固定するのではなく、蝶番（図示せず）等にて開閉自在にすればよい。【００１３】  なお、他の実施例として、地中箱の蓋体を上部と下部に分割して、高さ調整可能とすることも一考であり、周囲にレンガ調のタイルを貼り付けたり、塗料等の吹き付けを行う等、地域の景観に調和させた仕上げを施すことも一考である。
また、上記実施例は、本発明を植栽用のプランター及びベンチ等に適用した例であるが、本実施例の他に、広告塔やゴミ収集箱等、地域の生活環境に応じて様々な応用が可能である。
【図面の簡単な説明】
【００１４】
【図１】  本発明の地中箱の蓋体の第１実施例を示す縦断正面図。
【図２】  本発明の地中箱の蓋体の第１実施例を示す縦断側面図。
【図３】  本発明の地中箱の第１実施例を示す縦断正面図。
【図４】  本発明の地中箱の第１実施例を示す縦断側面図。
【図５】  本発明の地中箱の第１実施例を示す接合部の縦断側面図。
【図６】  本発明の地中箱の第１実施例を示す使用状態の斜視図。
【図７】  本発明の地中箱の第１実施例を示す使用状態の縦断正面図。
【図８】  本発明の地中箱の蓋体の第２実施例を示す縦断正面図。
【図９】  本発明の地中箱の蓋体の第２実施例を示す使用状態の斜視図。
【図１０】  従来例の地中箱の使用状態の一部縦断正面図。
【図１１】  従来例の地中箱の別の使用状態の一部縦断正面図。
【符号の説明】
【００１５】１−−−地中箱の蓋体
２−−−地中箱
３−−−地中箱本体
４−−−座板
５−−−取手部
Ｓ−−−植栽
ＴＵ−−土
【図１】
2005080497.tif 000003
【図２】
2005080497.tif 000004
【図３】
2005080497.tif 000005
【図４】
2005080497.tif 000006
【図５】
2005080497.tif 000007
【図６】
2005080497.tif 000008
【図７】
2005080497.tif 000009
【図８】
2005080497.tif 000010
【図９】
2005080497.tif 000011
【図１０】
2005080497.tif 000012
【図１１】
2005080497.tif 000013